(57)【要約】      （修正有）【課題】切り取ることですぐ使用可能であり、かつ確実に内容物を取り上げることの可能な器具が付属するフィンガーフード用容器を提供する。【解決手段】容器の一部を切り取り、切り取った紙片を紙製トングとして使用可能なフィンガーフード用容器を提供する。具体的には、紙製容器本体と、紙製容器本体から切り離し容易に設けられた紙製トング０３０２〜０３０４であって、フィンガーフードを外側から指で押圧してつかむための押圧片である第一押圧片と、第一押圧片にミシン目にて隣接する連結片と、連結片から見て第一押圧片と対向する側にミシン目にて隣接する押圧片である第二押圧片と、を有する紙製トングと、からなる。【選択図】図３
0003211600.tif 000002
【実用新案登録請求の範囲】
【請求項１】
紙製容器本体と、
紙製容器本体から切り離し容易に設けられた紙製トングであって、
フィンガーフードを外側から指で押圧してつかむための押圧片である第一押圧片と、
第一押圧片にミシン目にて隣接する連結片と、
連結片から見て第一押圧片と対向する側にミシン目にて隣接する押圧片である第二押圧片と、を有する紙製トングと、
からなる紙製フィンガーフード用容器。
【請求項２】
連結片は、両ミシン目に平行にエンボス線を有する請求項１に記載の紙製フィンガーフード用容器。
【請求項３】
紙製トングは一面がコーティング面、他面が非コーティング面である請求項１又は請求項２に記載の紙製フィンガーフード用容器。
【請求項４】
前記ミシン目はコーティング面側を凸に折り曲げやすいようにコーティング面を凹、非コーティング面を凸に加工した請求項３に記載の紙製フィンガーフード用容器。
【請求項５】
前記エンボス線はコーティング面側を凸に折り曲げやすいようにコーティング面を凹、非コーティング面を凸に加工した請求項３又は請求項４に記載の紙製フィンガーフード用容器。
【請求項６】
紙製トングは、容器本体の蓋部分又は／及び、容器本体の二重側壁部分に設けられている請求項１から請求項５のいずれか一に記載の紙製フィンガーフード用容器。
【請求項７】
紙製容器本体と、
紙製容器本体から切り離し容易に設けられた紙製トングであって、
フィンガーフードを外側から指で押圧してつかむための押圧片である第一押圧片と、
第一押圧片に容易に折り曲げられる折り曲げ線である容易折曲線にて隣接する連結片と、
連結片から見て第一押圧片と対向する側に容易に折り曲げられる折り曲げ線である容易折曲線にて隣接する押圧片である第二押圧片と、を有する紙製トングと、
からなる紙製フィンガーフード用容器。
【考案の詳細な説明】
【技術分野】
【０００１】
本件考案は、コンビニエンスストアやファーストフード店などにおいて、フライドポテトやフランクフルト、唐揚げなどを販売するのに用いられる、紙製組立式立体容器に関する。
【背景技術】
【０００２】
ファーストフード店等で販売される指でつまんで食べるような食べ物（以下「フィンガーフード」という。）用容器については種々のものが存在する。このようなフィンガーフードは、カップ状の容器の中に入れられており、直接指でつまんで食べる場合もあるが、別途提供される楊枝などを用いて取り上げて食べる場合も多い。販売時に楊枝を別途提供する手間を省くために、特許文献１に開示されているようなフィンガーフード用容器が存在する。この容器は、容器の一部を切り取り、折り込むことによって紙製の楊枝を生成することが可能である。
【特許文献１】実用新案登録３２０３５９９号
【考案の開示】
【考案が解決しようとする課題】
【０００３】
ところが、特許文献１の容器では、切り取った容器の一部を折り込む必要があり手間がかかる。また折り込んで楊枝を形成しても、楊枝の剛性が足りず内容物に刺し込む前に折れ曲がってしまう可能性が残る。さらに、刺し込むことができたとしても、十分に深く刺し込まないと内容物が抜け落ちてしまう。
そこで、切り取ることですぐ使用可能であり、かつ確実に内容物を取り上げることの可能な器具が付属するフィンガーフード用容器の提供が課題となる。
【課題を解決するための手段】
【０００４】
以上の課題を解決するため、第一の考案では、容器の一部を切り取り、切り取った紙片を紙製トングとして使用可能なフィンガーフード用容器を提供する。
【０００５】
具体的には、紙製容器本体と、紙製容器本体から切り離し容易に設けられた紙製トングであって、フィンガーフードを外側から指で押圧してつかむための押圧片である第一押圧片と、第一押圧片にミシン目にて隣接する連結片と、連結片から見て第一押圧片と対向する側にミシン目にて隣接する押圧片である第二押圧片と、を有する紙製トングと、からなる紙製フィンガーフード用容器を提供する。
【０００６】
第二の考案では、第一の考案に基づき、連結が、両ミシン目に平行にエンボス線を有する紙製フィンガーフード用容器を提供する。
【０００７】
第三の考案では、第一の考案あるいは第二の考案に基づいて、紙製トングは一面がコーティング面、他面が非コーティング面である紙製フィンガーフード用容器を提供する。
【０００８】
第四の考案では、第三の考案に基づいて、前記ミシン目はコーティング面側を凸に折り曲げやすいようにコーティング面を凹、非コーティング面を凸に加工した紙製フィンガーフード用容器を提供する。
【０００９】
第五の考案では、第三の考案あるいは第四の考案に基づいて、前記エンボス線はコーティング面側を凸に折り曲げやすいようにコーティング面を凹、非コーティング面を凸に加工した紙製フィンガーフード用容器を提供する。
【００１０】
第六の考案では、第一から第五の考案のいずれか一に基づいて、紙製トングは、容器本体の蓋部分又は／及び、容器本体の二重側壁部分に設けられている紙製フィンガーフード用容器を提供する。
【００１１】
第七の考案では、紙製容器本体と、紙製容器本体から切り離し容易に設けられた紙製トングであって、フィンガーフードを外側から指で押圧してつかむための押圧片である第一押圧片と、第一押圧片に容易に折り曲げられる折り曲げ線である容易折曲線にて隣接する連結片と、連結片から見て第一押圧片と対向する側に容易に折り曲げられる折り曲げ線である容易折曲線にて隣接する押圧片である第二押圧片と、を有する紙製トングと、からなる紙製フィンガーフード用容器を提供する。
【考案の効果】
【００１２】
本件考案によれば、内容物であるフィンガーフードを容器から手を汚さずに容易に取り上げることが可能となる。また、内容物を把持する事が可能なため、楊枝を使用した場合のように内容物が抜け落ちてしまうことがなく、確実に取り上げることが可能となる。
【考案を実施するための最良の形態】
【００１３】
以下に本件考案の実施例を説明する。なお、本考案はこの実施例に限定されるものではなく、その要旨を逸脱しない範囲において、種々なる態様で実施しうる。
≪実施例１≫
【００１４】
＜概要＞
図１は本実施例のフィンガーフード用容器の概要を説明するための容器の斜視図である。この図にあるように、容器の蓋部分（０１０１）と、側面部の二重側壁部分（０１０２）とにミシン目による切取り線（一点鎖線で示す。本明細書を通じて共通である。）が設けられている。なお本図は、二重側壁部分のうち、外側の側壁を透視して、容器内側の側壁に上記ミシン目が設けられている態様を示している。このミシン目部分を切り取って折りたたみ、トングとして使用する。
【００１５】
図１では、２箇所に切り取り線が設けられている態様を示しているが、容器の蓋部分（０１０１）のみ、あるいは側面部の二重側壁部分（０１０２）にのみ切り取り線が設けられている態様でもよい。
【００１６】
図２は本実施例のフィンガーフード用容器の使用状態を示す図である。この図にあるように、容器から切り取った紙片は折りたたまれてトング（０２０１）として使用する。このトングを用いてフィンガーフード（０２０２）等を把持して容器から取り上げる。 
【００１７】
＜構成＞
（フィンガーフード用容器の概要）
図３は、本実施例の紙製フィンガーフード用容器の概念を説明するための展開図である。容器はこの図にあるように、一枚のシートを折り曲げ、接着することにより形成される。本容器は、それぞれが折り目にて区分けされ、背面部（１）と、背面部接続領域（２）と、背面部（３）（４）と、前面部接続領域（５）と、前面部（６）と、接続部（７）〜（１０）と、副背面部（１１）（１２）と、副前面部（１３）（１４）と、副接続領域（１５）〜（１８）と、斜行底面部（１９）〜（２２）と、からなる。なお、蓋部（０３０１）は当部にトングとして切り取る部分（０３０２）が存在しない場合には必須でない。
【００１８】
（トングとなる部分の構成）
トングとなる部分は図３においては、蓋部（０３０１）に設けた斜線部分（０３０２）と、副前面部（１３）（１４）にそれぞれ設けた斜線部分（０３０３）（０３０４）等が考えられる。トングとなる部分の切り取り線は、容器の剛性や機能に悪影響を大きく与える部分を除けば、どの箇所に設けられていてもよい。
【００１９】
また、図３ではトングとなる部分が蓋部（０３０１）に設けた斜線部分（０３０２）と、副前面部（１３）（１４）にそれぞれ設けた斜線部分（０３０３）（０３０４）の３箇所に切取り線を設けた態様を示しているが、これらのうちいずれか１又は２箇所だけ設けた態様でもよい。
【００２０】
図４は容器から切り取った紙片を折り曲げてトングを生成した場面を示す斜視図である。この図にあるように、紙片は中心線（０４０１）にて折り曲げ、さらに、折り曲げられてできた２つの部分（０４０２）（０４０３）にミシン目による折り目（点線で示す。本明細書を通じて共通である。）が入れられている。このようにすることで、唐揚げなどの厚みがあるフィンガーフードをより容易に把持して取り上げることができる。
【００２１】
図５は、容器から切り取ったトングとなる紙片の展開図である。この図にあるように、切り離されてトングとなる紙片は、第一押圧片（Ａ）と、第二押圧辺片（Ｂ）と、連結片（Ｃ）（Ｄ）とからなる。第一押圧片（Ａ）は、折り曲げてトングを生成した際に、第二押圧片（Ｂ）と対向し、トングの外側から指で押圧してフィンガーフードをつかむ。連結片（Ｃ）（Ｄ）はそれぞれ第一押圧片（Ａ）およびと第二押圧片（Ｂ）とミシン目（０５０１）（０５０２）にて隣接する。連結片（Ｃ）（Ｄ）の紙片長手方向の長さ（０５０３）（０５０４）は、把持するフィンガーフードの厚みに応じて変化させることが望ましい。フィンガーフードが唐揚げであった場合にはそれぞれ１ｃｍ程度とすると商品をつかみやすく好適である。
【００２２】
トングとなる紙片であるが、一面がコーティング面であって、他面が非コーティング面である構成でもよい。この場合非コーティング面の側でフィンガーフードを把持するようにすると、非コーティング面の方がコーティング面に比べ摩擦が大きいため、フィンガーフードが滑り落ちること無く確実に把持することが可能である。
【００２３】
連結片（Ｃ）（Ｄ）は長手方向の中心にて上記ミシン目（０５０１）（０５０２）に平行なエンボス線（０５０５）にて区分けされている。このエンボス線はトングを生成する際に、折り曲げやすくするために設けられており、代わりにミシン目加工であってもよい。しかしながらエンボス線の方が、折り曲げる方向を規定し易いため好ましい。上記の通り、非コーティング面側でフィンガーフードを把持するのが望ましいため、コーティング面には凹となり、非コーティング面には凸となるエンボス加工を施すことで、コーティング面を凸に折り曲げやすいようにすることが考えられる。
【００２４】
上記ミシン目（０５０１）（０５０２）についても、フィンガーフードをつかみやすいトングの形状とするため、コーティング面側を凸に折り曲げやすいように、コーティング面を凹、非コーティング面を凸とする加工をさらに施すことが考えられる。
≪実施例２≫
【００２５】
実施例２に係る紙製フィンガーフード用容器は、紙製容器本体が箱型となっている態様である。図６は本実施例の紙製フィンガーフード用容器の概要を示すための斜視図である。この図にあるように、容器蓋部（０６０１）に切り取り線を有しており、切り離すことで紙製トングとして使用可能なものである。図６に示すように切り取り線は、トングが横方向になるように施されていても良いし（０６０２）、縦方向となるように施されていても良い（０６０３）。
【００２６】
なお、図６ではトングを切り取るための切り取り線が２箇所に設けられているが、１箇所に設けられていてもよいし、３箇所以上設けられていても構わない。
【００２７】
図７は本実施例の紙製フィンガーフード用容器の展開図であり、図６の紙製フィンガーフード用容器の展開図である。この図に示すように、容器蓋部（０７０１）に切り取り線を有している（０７０２）（０７０３）。なお、上記図６の場合と同様に、本図では切り取り線が３箇所に設けられているが、１箇所のみでもよいし、３箇所以上設けられていても構わない。また、 容器蓋部以外にトングとして切り離すための切り取り線を設けても良いが、切り離すことで容器の機能を妨げないという要請から、箱型の紙製フィンガーフード用容器の場合には蓋部に切り取り線を設けることが望ましい。
【図面の簡単な説明】
【００２８】
【図１】実施例１の紙製フィンガーフード用容器の斜視図
【図２】実施例１の紙製フィンガーフード用容器から切り離したトングの使用状態を示す図
【図３】実施例１の紙製フィンガーフード用容器のシートの展開図
【図４】実施例１の紙製フィンガーフード用容器から切り離したトングの斜視図
【図５】実施例１の紙製フィンガーフード用容器から切り離したトングの展開図
【図６】実施例２の紙製フィンガーフード用容器の斜視図
【図７】実施例２の紙製フィンガーフード用容器のシートの展開図
【符号の説明】
【００２９】
０３０２、０３０３、０３０４      紙製トング
【図１】
0003211600.tif 000003
【図２】
0003211600.tif 000004
【図３】
0003211600.tif 000005
【図４】
0003211600.tif 000006
【図５】
0003211600.tif 000007
【図６】
0003211600.tif 000008
【図７】
0003211600.tif 000009
【手続補正書】
【提出日】平成29年5月23日(2017.5.23)
【手続補正１】
【補正対象書類名】実用新案登録請求の範囲
【補正対象項目名】請求項５
【補正方法】変更
【補正の内容】
【請求項５】
前記エンボス線はコーティング面側を凸に折り曲げやすいようにコーティング面を凹、非コーティング面を凸に加工した請求項２に従属する請求項３又は請求項２に従属する請求項３に従属する請求項４に記載の紙製フィンガーフード用容器。